(57)【要約】【課題】破壊されにくく、連結送水管を閉塞させにくい連結送水管用送水口を実現する。【解決手段】建物１内に設置された消火用の連結送水管３に対し、消防ポンプからの給水管を通じて供給される消火用水を導入するための連結送水管用送水口１０は、連結送水管３に連絡する、給水管を挿入するための開口部１６を有する管状の本体部１１と、開口部１６の周縁に配置された環状部材１２と、環状部材１２を本体部１１との間に挟んで保持するための、本体部１１に取付可能な環状の保持部材１３と、開口部１６に対して着脱可能な蓋体１４と、蓋体１４と環状部材１２とを接続する連結紐１５とを備えている。蓋体１４は、開口部１６から取り外したとき、連結紐１５により本体部１１付近で吊り下げられた状態になる。【選択図】　　　　図１
2004092765.tif 000002
【特許請求の範囲】
【請求項１】
建物内に設置された消火用の連結送水管に対し、給水管を通じて外部から供給される消火用水を導入するための送水口であって、
前記連結送水管に連絡する、前記給水管を挿入するための開口部を有する管状の本体部と、
前記開口部の周縁に配置された環状部材と、
前記環状部材を前記本体部との間に挟んで保持するための、前記本体部に取付可能な環状の保持部材と、
前記開口部に対して着脱可能な蓋体と、
前記蓋体と前記環状部材とを接続する連結紐と、
を備えた連結送水管用送水口。
【請求項２】
前記本体部は、前記建物の壁面から一部が突出している、請求項１に記載の連結送水管用送水口。
【請求項３】
前記本体部は、前記建物の近傍の地上に起立して設けられた、前記連結送水管の末端部から突出している、請求項１に記載の連結送水管用送水口。
【請求項４】
前記環状部材は、前記本体部から外部に突出する鍔部を有し、前記連結紐の一端は、前記鍔部に接続されている、請求項１、２または３に記載の連結送水管用送水口。
【請求項５】
前記環状部材は、紐状体を環状に形成したものであり、前記連結紐を一体に有している、請求項１、２または３に記載の連結送水管用送水口。
【発明の詳細な説明】
【０００１】
【発明の属する技術分野】
本発明は、送水口、特に、建物内に設置された消火用の連結送水管に対し、給水管を通じて外部から供給される消火用水を導入するための送水口に関する。
【０００２】
【従来の技術とその課題】
高層ビルなどの建物は、消火用の連結送水管を備えている。連結送水管は、建物の各階において分岐して消火栓に連絡しており、また、消火用水を導入するための送水口を有している。送水口は、例えば、建物の１階部分の壁面に設けられており、消防ポンプからの給水管を接続可能に設定されている。ここで、消防ポンプから加圧されて送り出される消火用水は、給水管を通じて送水口内に導入され、連結送水管内に連続的に供給される。これにより、各階の消火栓に対し、消火用水が供給されることになる。
【０００３】
ところで、送水口は、通常、連結送水管に連絡する、給水管を挿入するための開口部を有する管状の本体部と、開口部を閉鎖する円板状の割り板と、当該割り板を本体部との間に挟んで保持するための、本体部に取付可能な環状の保持部材とを主に備えている。ここで、割り板は、連結送水管を閉塞させる可能性があるゴミ等の異物が送水口から連結送水管内に入るのを防止するためのものであり、通常、開口部に給水管を挿入した場合に容易に破壊されるよう、アクリル樹脂などを用いて形成された薄板からなる。
【０００４】
しかし、送水口の割り板は、通行人の悪戯や過失により、頻繁に破壊される場合が多い。このため、連結送水管は、破壊された割り板の破片のため、閉塞してしまう可能性がある。また、破壊された割り板は、新たなものに交換する必要があるが、割り板は高価であるため、ビル所有者が交換を怠る場合も多い。
【０００５】
本発明の目的は、破壊されにくく、連結送水管を閉塞させにくい連結送水管用送水口を実現することにある。
【０００６】
【課題を解決するための手段】
本発明の連結送水管用送水口は、建物内に設置された消火用の連結送水管に対し、給水管を通じて外部から供給される消火用水を導入するためのものであり、連結送水管に連絡する、給水管を挿入するための開口部を有する管状の本体部と、開口部の周縁に配置された環状部材と、環状部材を本体部との間に挟んで保持するための、本体部に取付可能な環状の保持部材と、開口部に対して着脱可能な蓋体と、蓋体と環状部材とを接続する連結紐とを備えている。
【０００７】
この連結送水管用送水口は、非使用時において、蓋体により本体部の開口部を閉鎖することができる。このため、連結送水管内には、外部からゴミ等の異物が入るのが防止され、そのような異物により閉塞してしまうのが防止される。一方、この送水口を使用する場合は、開口部から蓋体を取り外す。そして、開口部に給水管を挿入し、消火用水を供給する。これにより、連結送水管内には、給水管を通じて消火用水が導入される。ここで、蓋体は、環状部材が本体部と保持部材との間に挟まれた状態にあるため、開口部から取り外したとき、蓋体と環状部材とを接続する連結紐により本体部付近で吊り下げられた状態になる。したがって、給水作業者は、蓋体の保管場所や喪失を気遣う必要がなく、連結送水管への給水作業に専念することができる。
【０００８】
送水口の使用後は、連結送水管が閉塞するのを防止するために、開口部を蓋体により再度閉鎖する。ここで、先に取り外された蓋体は、本体部付近で吊り下げられた状態にあるため、消化活動後の混乱した現場において探し出す必要がなく、開口部の閉鎖のためにそのまま再利用することができる。
【０００９】
なお、この連結送水管用送水口において、本体部は、例えば、建物の壁面から一部が突出している。或いは、本体部は、例えば、建物の近傍の地上に起立して設けられた、連結送水管の末端部から突出している。
【００１０】
また、環状部材は、例えば、本体部から外部に突出する鍔部を有し、連結紐の一端は、当該鍔部に接続されている。或いは、環状部材は、例えば、紐状体を環状に形成したものであり、連結紐を一体に有している。
【００１１】
【発明の実施の形態】
図１および図２を参照して、本発明の実施の一形態に係る連結送水管用送水口を説明する。図において、連結送水管用送水口１０は、建物１の壁面２から突出するよう設けられており、本体部１１、環状部材１２、保持部材１３、蓋体１４および連結紐１５を主に備えている。
【００１２】
本体部１１は、後述する給水管５を挿入するための開口部１６を有する管状の部材であり、一端が壁面２内に挿入されかつ他端が壁面２から突出するよう壁面２に対して固定されている。また、本体部１１は、壁面２から突出している側の端部の外周に螺旋部１７を有している。螺旋部１７の下部には、本体部１１の突出方向に延びる溝部１８（図２）が形成されている。さらに、本体部１１の内周面には、蓋体１４を支持するための支持部材１９が装着されている。この支持部材１９は、環状の部材であり、本体部１１の内周面から中心方向に突出している。なお、本体部１１内には、通常、消火用水が逆流するのを防止するためのチャッキ弁（図示せず）が装着されている。
【００１３】
環状部材１２は、本体部１１の開口部１６の形状に対応する環状の薄板状の部材であり、本体部１１の開口部１６側端面、すなわち、開口部１６の周縁に配置されている。また、環状部材１２は、本体部１１方向に突出する鍔部２０を一体的に有している。この鍔部２０は、溝部１８内に配置可能なように設定されており、先端部２０ａが本体部１１から下方に突出するよう屈曲している。
【００１４】
保持部材１３は、本体部１１の螺旋部１７に対応する螺旋部２１を内周面に有する環状の部材であり、本体部１１の螺旋部１７に対して螺旋止めされている。これにより、保持部材１３は、本体部１１の開口部１６との間に環状部材１２を挟んだ状態で保持している。
【００１５】
蓋体１４は、表側に把手２２ａを有する円板状の閉鎖部材２２と、閉鎖部材２２と同心状に設けられた、閉鎖部材２２の裏側から突出する筒状部材２３とを有している。閉鎖部材２２は、直径が保持部材１３の内径と概ね同じに設定されている。一方、筒状部材２３は、外径が支持部材１９の内径と概ね同じに設定されており、長さ方向に延びるスリット２４を複数有している。このスリット２４は、筒状部材２３が中心方向に撓み易いようにするためのものである。また、筒状部材２３の先端部２５は、外方向に突出する滑らかな球状に形成されている。
【００１６】
このような蓋体１４は、閉鎖部材２２が保持部材１３の内周面に挿入され、また、筒状部材２３が保持部材１３および環状部材１２を通じて本体部１１の開口部１６内に挿入されている。ここで、筒状部材２３の先端部２５は、支持部材１９を貫通し、当該支持部材１９の縁部に当接している。これらの結果、蓋体１４は、閉鎖部材２２により本体部１１の開口部１６を閉鎖し、また、筒状部材２３により本体部１１からの脱落が防止されている。
【００１７】
連結紐１５は、一端が蓋体１４の把手２２ａに接続されており、また、他端が環状部材１２の鍔部２０の先端部２０ａに接続されている。これにより、連結紐１５は、蓋体１４と環状部材１２とを接続している。
【００１８】
上述の連結送水管用送水口１０は、通常、壁面２に一対設けられている（図１）。一対の連結送水管用送水口１０，１０のそれぞれは、壁面２内において、建物１の内部に設けられた連結送水管３の末端に設けられた二股の分岐管４に連絡している。なお、一方の連結送水管用送水口１０は、他方の連結送水管用送水口１０に不具合が生じた場合のバックアップ用である。
【００１９】
上述の連結送水管用送水口１０は、非使用時、蓋体１４により本体部１１の開口部１６が閉鎖されている。このため、連結送水管３は、外部からゴミ等の異物が入るのが防止される。一方、火災時等において、連結送水管３に消火用水を供給する場合は、蓋体１４を取り外す。ここでは、把手２２ａを抓んで閉鎖部材２２を手前に引き出すと、筒状部材２３の先端部２４が支持部材１９の端部により中心方向に押されて撓み、筒状部材２３が本体部１１から抜け出す。これにより、連結送水管用送水口１０は、図３に示すように、開口した状態になる。この状態で、消防ポンプからの給水管５の先端を連結送水管用送水口１０内に挿入し、給水管５を通じて消火用水を供給すると、当該消火用水は、分岐管４を経由して連結送水管３内に導入され、建物１の各階の消火栓に供給される。
【００２０】
上述のような消火用水の供給作業時において、連結送水管用送水口１０から取り外した蓋体１４は、環状部材１２が本体部１１と保持部材１３との間に挟まれた状態にあるため、把手２２ａと環状部材１２の鍔部２０とを接続する連結紐１５により本体部１１付近で吊り下げられた状態になる（図３）。したがって、給水作業者は、蓋体１４の保管場所の確保や消失を気遣う必要がなく、連結送水管３への給水作業に専念することができる。
【００２１】
連結送水管用送水口１０の使用後は、連結送水管３がゴミ等の異物により閉塞するのを防止するため、開口部１６を蓋体１４により再度閉鎖する。ここで、先に取り外された蓋体１４は、本体部１１付近で吊り下げられた状態にあるため、消火活動後の混乱した現場において探し出す必要がなく、そのまま容易に再利用することができる。
【００２２】
上述のように、連結送水管用送水口１０は、開口部１６を着脱可能な蓋体１４により閉鎖しているので、割り板を用いる従来のものよりも破壊されにくく、連結送水管３を閉塞させにくい。しかも、この連結送水管用送水口１０は、蓋体１４を繰り返し使用することができるので、従来のものに比べて維持管理が容易である。
【００２３】
［他の実施の形態］
（１）上述の実施の形態では、環状部材１２として、鍔部２０を有する環状の薄板状の部材を用いたが、環状部材１２は、例えば、金属製のワイヤーなどの紐状体を環状に形成したものであって、連結紐１５を一体に有するものであってもよい。このような環状部材１２は、例えば、図４に示すように、紐状体２６の一端に小さな環２６ａを形成し、紐状体２６の他端２６ｂを環２６ａに挿入して所定の大きさの環状に設定すると形成することができる。ここで、環２６ａに挿入された紐状体２６の他端２６ｂ側は、蓋体１４の把手２２ａに接続すると、連結紐１５として機能する。
【００２４】
（２）上述の実施の形態では、連結送水管用送水口１０を建物１の壁面２に設けた場合について説明したが、連結送水管用送水口１０は、例えば、図５に示すように、建物１の近傍の地上２７に起立して設けられた、連結送水管３の末端部３ａから突出するように設けられていてもよい。
【００２５】
【発明の効果】
本発明の連結送水管用送水口は、給水管を挿入するための開口部を有する管状の本体部と、開口部の周縁に配置された環状部材と、環状部材を本体部との間に挟んで保持するための、本体部に取付可能な環状の保持部材と、開口部に対して着脱可能な蓋体と、蓋体と環状部材とを接続する連結紐とを備えているため、従来のものに比べて破壊されにくく、連結送水管を閉塞させにくい。
【図面の簡単な説明】
【図１】本発明の実施の一形態に係る連結送水管用送水口の斜視図。
【図２】前記連結送水管用送水口の非使用時の縦断面図。
【図３】前記連結送水管用送水口の使用時の縦断面図。
【図４】前記連結送水管用送水口において利用可能な他の環状部材の斜視図。
【図５】前記連結送水管用送水口を用いた他の形態の連結送水管の概略図。
【符号の説明】
１　建物
２　壁面
３　連結送水管
５　給水管
１０　連結送水管用送水口
１１　本体部
１２　環状部材
１３　保持部材
１４　蓋体
１５　連結紐
２０　鍔部
２６　紐状体
【図１】
2004092765.tif 000003
【図２】
2004092765.tif 000004
【図３】
2004092765.tif 000005
【図４】
2004092765.tif 000006
【図５】
2004092765.tif 000007